(57)【要約】  物体平面（２２）に配置された組織において蓄積される、異なる蛍光色素の逐次観察のための顕微鏡システム（１）が開示される。物体平面（２２）を照明放射線で照明するための顕微鏡システム（１）の照明系（７０）は、少なくとも２つの動作状態を有する。少なくとも２つの動作状態のうちの１つの状態において、照明放射線は、第１の蛍光色素の励起帯（Ａ１）を含むと同時に、別の蛍光色素の励起帯（Ａ２）の一部を含まないスペクトルを有する。物体平面（２２）を光学的に結像するための第１の観察光路（３３）を形成するための顕微鏡システム（１）の観察系（２）もまた、２つの異なる動作状態を有する。少なくとも２つの動作状態のうちの１つの状態において、第１の観察光路（３３）内で導かれる観察放射線は、第１の蛍光色素の第１の蛍光帯（Ｆ１）を含むスペクトルを第１の観察光路の一部の区間において有する一方、少なくとも１つの他の動作状態において、第１の観察光路（３３）内で導かれる観察放射線は、第１の観察光路の少なくとも一部の区間において第１の蛍光色素の第１の蛍光帯（Ｆ１）の一部を含まないスペクトルを有する。開示される顕微鏡システム（１）は、照明系（７０）及び観察系（２）を第１の動作状態に選択的に切り替えるか、あるいは、照明系（７０）及び観察系（２）を第２の動作状態に切り替えるように構成された制御装置（３）をさらに含む。【選択図】  図１
2009525495.tif 000002
【特許請求の範囲】
【請求項１】
物体平面（２２）において異なる蛍光色素（プロトポルフィリンＩＸ、インドシアニングリーン）の蛍光を観察するための顕微鏡システム（１）であって、
前記顕微鏡システム（１）は、前記物体平面（２２）を照明放射線で照明するための照明系（７０）と、物体平面（２２）を光学的に結像するための第１の観察光路（３３）を形成するための観察系（２）とを含み、前記観察系（２）は、少なくとも１つのカメラ（５６）をさらに含み、前記第１の観察光路（３３）内で導かれる観察放射線は前記カメラ（５６）に供給が可能であり、
前記照明系（７０）は、前記照明放射線が第１の蛍光色素（プロトポルフィリンＩＸ）の第１の励起帯（Ａ１）を含むと同時に、前記第１の蛍光色素（プロトポルフィリンＩＸ）とは異なる第２の蛍光色素（インドシアニングリーン）の第２の励起帯（Ａ２）の一部を含まないスペクトルを持つ第１の動作状態を有し、
前記観察系（２）は、前記第１の観察光路（３３）内で導かれる観察放射線が前記第１の蛍光色素（プロトポルフィリンＩＸ）の蛍光帯（Ｆ１）を含むスペクトルを前記第１の観察光路の一部の区間において持つ第１の動作状態を有し、
前記照明系（７０）は、前記照明放射線が前記第２の蛍光色素（インドシアニングリーン）の前記第２の励起帯（Ａ２）を含むスペクトルを持つ少なくとも第２の動作状態を有し、
前記観察系（２）は、赤外線フィルタキャリア（５７’）によって支持された赤外線バリアフィルタ（５７’）を含み、前記第１の観察光路（３３）によって導かれる前記観察放射線は、前記赤外線バリアフィルタ（５７’）を介して前記カメラ（５６）に供給が可能であり、
前記観察系（２）は、前記第１の観察光路（３３）内で導かれる観察放射線が前記第１の蛍光色素（プロトポルフィリンＩＸ）の第１の蛍光帯（Ｆ１）の一部を含まないスペクトルを前記第１の観察光路の一部の区間において持つ少なくとも第２の動作状態を有し、
前記赤外線フィルタキャリア（５７）は、前記カメラ（５６）の前の前記第１の観察光路（３３）に前記赤外線バリアフィルタ（５７’）が存在しない第１の動作状態、及び前記赤外線バリアフィルタ（５７’）が前記第１の観察光路（３３）において前記カメラ（５６）の前に配置された第２の動作状態を有し、
前記顕微鏡システム（１）は、制御装置（３）をさらに含み、前記制御装置（３）は、前記照明系（７０）、前記観察系（２）及び前記赤外線フィルタキャリア（５７）を前記第１の動作状態に選択的に切り替えるか、あるいは、前記照明系（７０）、前記観察系（２）及び前記赤外線フィルタキャリア（５７）を前記第２の動作状態に選択的に切り替えるように構成されていることを特徴とする顕微鏡システム（１）。
【請求項２】
前記観察系（２）の少なくとも１つの動作状態において、第１の観察フィルタキャリア（６０）によって支持された観察フィルタ（６２）が前記第１の観察光路（３３）内に配置され、前記観察フィルタ（６２）は、被観察蛍光色素の前記蛍光帯（Ｆ１）に対して透明であると同時に、別の蛍光色素の前記蛍光帯（Ｆ２）に対して実質的に不透明である、請求項１に記載の顕微鏡システム（１）。
【請求項３】
前記観察系（２）は、前記物体平面（２２）を光学的に結像するための第２の観察光路（３２）を有する、請求項１又は２に記載の顕微鏡システム（１）。
【請求項４】
物体平面（２２）において異なる蛍光色素（プロトポルフィリンＩＸ、インドシアニングリーン）の蛍光を観察するための顕微鏡システム（１）であって、
前記顕微鏡システム（１）は、前記物体平面（２２）を照明放射線で照明するための照明系（７０）と、前記物体平面（２２）を光学的に結像するための第１の観察光路（３３）及び第２の観察光路（３２）を形成するための観察系（２）とを含み、前記観察系（２）は、少なくとも１つのカメラ（５６）を含み、前記第１の観察光路（３３）によって導かれる観察放射線は、前記カメラ（５６）に供給が可能であり、
前記照明系（７０）は、前記照明放射線が第１の蛍光色素（プロトポルフィリンＩＸ）の第１の励起帯（Ａ１）を含むと同時に、前記第１の蛍光色素（プロトポルフィリンＩＸ）とは異なる第２の蛍光色素（インドシアニングリーン）の第２の励起帯（Ａ２）の一部を含まないスペクトルを持つ第１の動作状態を有し、
前記観察系（２）は、第１の観察フィルタキャリア（６０）によって支持された観察フィルタ（６２）が前記第１の観察光路（３３）内に配置された第１の動作状態を有し、前記観察フィルタ（６２）は、前記第１の蛍光色素（プロトポルフィリンＩＸ）の前記第１の蛍光帯（Ｆ１）に対して透明であり、
前記照明系（７０）は、前記照明放射線が前記第２の蛍光色素（インドシアニングリーン）の前記第２の励起帯（Ａ２）を含むスペクトルを持つ少なくとも１つの第２の動作状態を有し、
前記観察系（２）は、前記第１の観察フィルタキャリア（６０）によって支持された赤外線バリアフィルタが前記第１の観察光路（３３）内に配置された少なくとも１つの第２の動作状態を有し、
前記顕微鏡システム（１）は、前記照明系（７０）及び前記観察系（２）を前記第１の動作状態に選択的に切り替えるか、あるいは、前記照明系（７０）及び前記観察系（２）を前記第２の動作状態に選択的に切り替えるように構成された制御装置（３）をさらに含むことを特徴とする顕微鏡システム（１）。
【請求項５】
赤外線フィルタキャリア（５７）によって支持された赤外線バリアフィルタ（５７’）が、前記第１及び／又は第２の観察光路（３３）内に配置され、前記赤外線フィルタキャリア（５７）は、前記第１の観察光路（３３）に前記赤外線バリアフィルタ（５７’）が存在しない第１の動作状態、及び前記赤外線バリアフィルタ（５７’）が前記第１の観察光路（３３）内に配置された第２の動作状態を有し、
前記制御装置（３）は、前記照明系（７０）、前記観察系（２）及び前記赤外線フィルタキャリア（５７）を前記第１の動作状態に選択的に切り替えるか、あるいは、前記照明系（７０）、前記観察系（２）及び前記赤外線フィルタキャリア（５７）を前記第２の動作状態に選択的に切り替えるように構成されている、請求項４に記載の顕微鏡システム（１）。
【請求項６】
前記観察系（２）の前記第１の動作状態において、前記第１の観察光路（３３）に配置された前記観察フィルタ（６２）は、同時に、他方の蛍光色素（インドシアニングリーン）の前記蛍光帯（Ｆ２）に対して実質的に不透明である、請求項４又は５に記載の顕微鏡システム（１）。
【請求項７】
少なくとも１つのさらなる観察フィルタ（６１’、６２’）を支持し、少なくとも第１及び第２の動作状態間において切り替えが可能な第２の観察フィルタキャリア（６０’）が、前記第２の観察光路（３２）内に配置され、
前記制御装置（３）は、前記照明系（７０）及び前記第２の観察フィルタキャリア（６０’）を前記第１の動作状態に選択的に切り替えるか、あるいは、前記照明系（７０）及び前記第２の観察フィルタキャリア（６０’）を前記第２の動作状態に選択的に切り替えるように構成されている、請求項３〜６のいずれかに記載の顕微鏡システム（１）。
【請求項８】
前記第２の動作状態において、前記第２の観察フィルタキャリア（６０’）は、前記第２の蛍光色素（インドシアニングリーン）の蛍光の観察を可能にするフィルタ（６２’）を支持している、請求項７に記載の顕微鏡システム（１）。
【請求項９】
前記照明系（７０）の少なくとも１つの動作状態において、照明フィルタキャリア（７６）によって支持された照明フィルタ（７７）が、前記照明系（７０）によって形成される照明光路（７５）内に配置され、前記照明フィルタ（７７）は、観察対象の蛍光色素の前記励起帯（Ａ１、Ａ２）に対して透明であると同時に、別の蛍光色素の前記励起帯（Ａ２、Ａ１）に対して実質的に不透明である、先行する請求項のいずれかに記載の顕微鏡システム（１）。
【請求項１０】
前記照明フィルタキャリア（７６）は、異なるフィルタ特性を有する少なくとも２つの照明フィルタ（７７、７８）を支持し、
前記第１及び／又は第２の観察フィルタキャリア（６０、６０’）は、異なるフィルタ特性を有する少なくとも２つの観察フィルタ（６１、６１’、６２、６２’）を支持している、請求項９に記載の顕微鏡システム（１）。
【請求項１１】
前記少なくとも１つの照明フィルタ（７７）及び／又は前記少なくとも１つの観察フィルタ（６１、６１’、６２、６２’）及び／又は前記赤外線バリアフィルタ（５７’）は、透過フィルタ又は反射フィルタである、先行する請求項のいずれかに記載の顕微鏡システム（１）。
【請求項１２】
少なくとも１つのフィルタキャリア（５７、６０、６０’、７６）は、前記フィルタキャリア（５７、６０、６０’、７６）によって支持された第１のフィルタ（５７’、６１、６１’、７７）が前記それぞれの光路（３２、３３、７５）内に配置された第１の動作状態から、前記フィルタキャリア（５７、６０、６０’、７６）によって支持された前記第１のフィルタ（５７’、６１、６１’、７７）が前記それぞれの光路（３２、３３、７５）の外側に配置された少なくとも１つの第２の動作状態に切り替えが可能である、先行する請求項のいずれかに記載の顕微鏡システム（１）。
【請求項１３】
少なくとも１つのフィルタキャリア（６０、６０’、７６）が、回転軸（Ａ）を中心として軸着された支持要素と、前記支持要素を枢動させるための駆動装置（６４、６４’、７９）とを有し、前記フィルタキャリア（６０、６０’、７６）によって支持された前記少なくとも１つのフィルタ（６１、６１’、７７）は、前記回転軸（Ａ）から離間して前記支持要素上に配置されている、先行する請求項のいずれかに記載の顕微鏡システム（１）。
【請求項１４】
少なくとも１つのフィルタキャリア（５７）が、直線的に移動可能な支持要素と、前記支持要素を移動させるための駆動装置（５８）とを有し、前記少なくとも１つのフィルタ（５７’）は前記支持要素上に配置されている、先行する請求項のいずれかに記載の顕微鏡システム（１）。
【請求項１５】
少なくとも１つのフィルタキャリア（５７*）がフィルタ（５７*’）を支持し、前記フィルタ（５７*’）は、前記フィルタキャリア（５７*）の第１の動作状態において第１のフィルタ特性を有し、前記フィルタキャリア（５７*）の第２の動作状態において前記第１のフィルタ特性とは異なる第２のフィルタ特性を有する、先行する請求項のいずれかに記載の顕微鏡システム（１）。
【請求項１６】
少なくとも１つのフィルタキャリアは、前記フィルタキャリアによって支持されたフィルタが、前記それぞれの光路の中心ビームに対して第１の傾斜角を持つ第１の動作状態、及び前記フィルタが、前記第１の傾斜角とは異なる第２の傾斜角を前記中心ビームに対して持つ第２の動作状態を有し、前記フィルタは、前記それぞれの光路内で導かれる放射線に対して少なくとも２つの異なるフィルタ特性を前記少なくとも２つの異なる傾斜角に対して有し、前記フィルタを傾斜させるための駆動装置が設けられている、先行する請求項のいずれかに記載の顕微鏡システム（１）。
【請求項１７】
前記顕微鏡システム（１）は、前記物体平面（２）を励起放射線で照明するための励起放射線源（８０）をさらに含み、前記励起放射線のスペクトルの帯域幅は、２００ｎｍ未満、実質的に１００ｎｍ未満であり、かつ、観察対象の蛍光色素の前記励起帯（Ａ２）を実質的に含み、前記励起放射線源（８０）は、励起放射線が射出される第１の動作状態、及び励起放射線が射出されない第２の動作状態を有し、
前記制御装置（３）は、前記励起放射線源（８０）及び前記観察系（２）を前記第１の動作状態に選択的に切り替えるか、あるいは、前記励起放射線源（８０）及び前記観察系（２）を前記第２の動作状態に切り替えるように構成されている、先行する請求項のいずれかに記載の顕微鏡システム（１）。
【請求項１８】
前記照明系（７０）は、前記第１又は第２の観察光路（３３、３２）内に配置された画像データを生成するためのカメラ（５６）と、較正装置（５９）とをさらに含み、前記較正装置（５９）は、前記カメラ（５６）によって生成された前記画像データを受信し、かつ、前記画像データに色較正が行なわれる第１の動作状態、及び前記画像データがそのまま維持される第２の動作状態を有し、
前記制御装置（３）は、前記照明系（７０）、前記観察系（２）及び前記較正装置（５９）を前記第１の動作状態に選択的に切り替えるか、あるいは、前記照明系（７０）、前記観察系（２）及び前記較正装置（５９）を前記第２の動作状態に選択的に切り替えるように構成されている、先行する請求項のいずれかに記載の顕微鏡システム（１）。
【請求項１９】
前記顕微鏡システム（１）は、前記制御装置（３）に接続された通信インタフェース（４）をさらに含み、前記通信インタフェース（４）は、それぞれの目的の蛍光色素の入力を可能にし、
前記制御装置（３）は、前記フィルタキャリア（５７、６０、６０’、７６）及び／又は前記励起放射線源（８０）及び／又は前記較正装置（５７）の前記動作状態を、前記通信インタフェース（４）を介して示されるそれぞれの蛍光色素に反応して、予め定義された依存度にしたがって制御する、先行する請求項のいずれかに記載の顕微鏡システム（１）。
【請求項２０】
前記観察系（２）は、少なくとも１つの第２のカメラ（５４）と、前記第２のカメラ（５４）の前に配置されたフィルタ（５２）とを含み、前記第２の観察光路（３２）によって導かれる観察放射線は、前記フィルタ（５２）を介して前記第２のカメラ（５４）に供給が可能であり、前記フィルタ（５２）は、近赤外放射線に対して実質的に透明な赤外線フィルタ、又は８００ｎｍ〜９００ｎｍの波長に対して透過域（transmission range）を有する帯域通過フィルタである、先行する請求項のいずれかに記載の顕微鏡システム（１）。
【発明の詳細な説明】
【技術分野】
【０００１】
本発明は、独立請求項１の前提部分に記載の顕微鏡システムに関する。より詳細には、本発明は、異なる蛍光色素を用いることによって被観察物体の逐次観察を行なうように構成された顕微鏡システムに関する。この顕微鏡システムは、例えば、立体顕微鏡、特に、手術用顕微鏡であり得る。
【背景技術】
【０００２】
第１の波長範囲（以下「励起帯」という）の電磁励起放射線による照明に反応して、第１の波長範囲（従って、励起帯）とは異なる第２の波長範囲（以下「蛍光帯」という）の電磁蛍光放射線を放射する蛍光色素が、医療分野において種々の目的で用いられている。例として、特定の種類の組織、組織構造、組織機能等の視覚化が挙げられる。この目的で、蛍光色素又はこのような蛍光色素の前駆体が、検査対象の患者に投与される。蛍光色素は、患者の特定の種類の組織又は組織構造において蓄積するので、蛍光放射線を観察することにより、観察者が、これらの組織又は組織構造だけではなく、蓄積の過程も視覚化し、局在化することができる。この目的を達成するために、特殊な光学補助手段（例えば、赤外線カメラ又はＵＶカメラ及び光増幅器等）が用いられている。なぜなら、蛍光放射線は、非常に弱く、及び／又は、可視スペクトル（約３８０〜７８０ｎｍ）の外側にある場合があるからである。
【０００３】
適した蛍光色素の例としては、インドシアニングリーン（ＩＣＧ）が挙げられる。この蛍光色素の蛍光の励起帯は、４００ｎｍ〜７８０ｎｍの範囲にあり、蛍光帯は、約８３０ｎｍにある（従って、近赤外域における可視域の外側にある）。ＩＣＧを取り付けた組織を顕微鏡システムによって微視的に検査するために、光源（レーザ光源又はキセノンランプもしくはハロゲンランプなど）の前の照明光路内に照明帯域通過フィルタが配置され、この照明帯域通過フィルタのフィルタ特性は、ＩＣＧ用の励起帯（４００ｎｍ〜７８０ｎｍ）の照明放射線が組織を通過できるように選択される。組織は、顕微鏡光学系によって、第１の観察光路を介して赤外線カメラ（ＩＲカメラ）に結像され、第１の観察光路において、ＩＣＧの蛍光帯（約８３０ｎｍ）の電磁放射線を通過させるが、観察放射線を通過させないように、観察帯域通過フィルタがＩＲカメラの前に配置されている。ＩＲカメラによって生成された画像データは、電子画像処理技術を適用することにより、モニタによって可視域において表示が可能であるため、第１の観察光路により、蛍光放射線の観察が可能となる。同時に、組織は、観察フィルタを用いることなく、顕微鏡光学系によって第２の観察光路を介して観察カメラ（例えば、３チップＣＣＤカメラ）及び／又は接眼レンズに結像され、蛍光放射線の赤外線部分に起因する色収差の発生を防止するために、約７００ｎｍを超える波長を透過させない赤外線バリアフィルタ（ＩＲバリアフィルタ）が観察カメラの前に設けられている。従って、第２の観察光路により、組織を照明放射線下で観察することが可能となる。この点に関し、第１及び第２の観察光路のＩＲカメラ及び観察カメラによってそれぞれ生成される画像データを電子的に重ね合わせ、等価的に表示させることが知られている。
【０００４】
対応する構造が、例えば、独国特許出願公開第１０３３９７８４号（特許文献１）から公知であり、その全内容は引用によって本明細書に援用される。
【０００５】
照明放射線の使用による観察対象物体の観察と蛍光放射線の観察が上述のように同時に行なわれることにより、観察対象の物体に対する方位づけ（orientation）が容易となる。このことは、例えば、手術中に重要である。
【０００６】
また、蛍光色素としてプロトポルフィリンＩＸを用いることが知られている。この蛍光色素の蛍光の励起帯は約４００ｎｍにあり、蛍光帯は約６３０〜７３０ｎｍの範囲にある。従って、４００〜４３０ｎｍの波長帯の照明放射線のみをプロトポルフィリンＩＸを取り付けた組織へ透過させる２つの帯域通過フィルタで構成される照明フィルタが、顕微鏡システムにおいて照明のために用いられている。蛍光放射線を透過させるが、照明放射線は透過させない第１の観察光路において、観察フィルタが配置されている。蛍光帯は、主に可視域にあり、近赤外域と部分的にしか重ならないため、従来の観察カメラを用いることによって観察を行なうことができる。従来の観察カメラを観察に用いる場合、観察カメラの前にはＩＲバリアフィルタを配置しないのがよい。なぜなら、配置すると蛍光放射線の一部がカメラに到達しなくなるからである。
【０００７】
さらなる蛍光色素が当業者に公知であり、及び／又は、当業者によって容易に見出される。さらに、生体の検査のためには、蛍光放射線の最大強度、及び各励起帯と蛍光帯との間の十分な距離の他に、被観察生体における蛍光色素の良好な調和性及び生分解性が望まれる。
【０００８】
上記例から、各蛍光色素について、使用される顕微鏡システムを励起帯及び蛍光帯に適合させる必要があることが分かる。これは、観察カメラの前にＩＲバリアフィルタを使用する場合に特に顕著であり、ＩＲバリアフィルタは、蛍光色素としてＩＣＧを用いる場合には観察カメラの前に設けなくてはならないが、蛍光色素としてプロトポルフィリンＩＸを用いる場合には設けてはならない。
【特許文献１】独国特許出願公開第１０３３９７８４号
【発明の開示】
【発明が解決しようとする課題】
【０００９】
蛍光観察に必要なフィルタが大型でありかつその数が様々であるため、異なる蛍光色素の観察のために顕微鏡システムを再装備するのは非常に煩雑である。その結果、例えば、手術中、１つのみの蛍光色素が用いられることになる。なぜなら、時間を要する顕微鏡システムの再装備を手術中に行なうことは許されないからである。さらに、このような顕微鏡システムの再装備は、衛生上の理由でも不可能である場合が多い。
【００１０】
さらに、再装備中に異なる蛍光色素用のフィルタが混同されてしまい、従って、個々のフィルタ間の調整が失われる危険性がある。異なる蛍光色素に対して異なる数のフィルタが用いられている場合、顕微鏡システム内に誤ってフィルタが残されたり、フィルタ交換によって蛍光色素に対して顕微鏡システムを再装備する際にフィルタが挿入されなかったりする危険性もある。
【００１１】
使用される蛍光色素に対して調整が行なわれていないフィルタが用いられていることが気づかれないという危険性が高い。なぜなら、蛍光放射線の不在は、検査対象の物体において蛍光色素の蓄積がない（すなわち、腫瘍組織等が存在しないため）ということによっても起こり得るからである。手術用顕微鏡では、このようなミスは、患者の健康に重大な結果を及ぼし得る。なぜなら、腫瘍組織が体内に残り、さらなる手術が必要となる場合があるからである。また、蛍光放射線を可視化しようとする場合であっても、不必要に大量の蛍光色素が患者に投与されるという危険性があり、これは、アレルギー反応を引き起こす場合がある。
【００１２】
上記に鑑み、本発明は、物体平面における異なる蛍光色素の蛍光放射線の逐次観察をより簡単かつ確実に可能とする顕微鏡、特に、手術用顕微鏡を提供することを目的とする。
【課題を解決するための手段】
【００１３】
上記目的は、独立請求項１の前提部分に記載の特徴と独立請求項１の特徴部分に記載の特徴を備えた、物体平面において異なる蛍光色素の蛍光放射線を観察するための顕微鏡システムによって解決される。
【００１４】
好ましい一実施の形態によれば、照明放射線で物体平面を照明するための顕微鏡システムの照明系は、少なくとも２つの異なる動作状態を有し、これら２つの動作状態のうちの１つにおいて、照明放射線は、第１の蛍光色素の第１の励起帯を含むと同時に、別の蛍光色素の励起帯の一部を含まないスペクトルを有し、これらの動作状態の少なくとも他の１つにおいて、照明放射線は、前記別の蛍光色素の励起帯を含むスペクトルを有する。また、物体平面を光学的に結像するための第１の観察光路を形成するための顕微鏡システムの観察系は、少なくも２つの異なる動作状態を有し、これら少なくとも２つの動作状態のうちの１つにおいて、第１の観察光路内で導かれる観察放射線は、第１の蛍光色素の第１の蛍光帯を含むスペクトルを第１の観察光路の少なくとも一部の区間において有し、少なくとも１つの他の動作状態において、第１の観察光路内で導かれる観察放射線は、第１の蛍光色素の第１の蛍光帯の一部を含まないスペクトルを第１の光路の少なくとも一部の区間において有する。
【００１５】
本願において、ある１つの帯域の一部を含まないスペクトルとは、スペクトル及び帯域の両方を標準化した後に、帯域の範囲の４０％未満、好ましくは、２０％未満、特に好ましくは、１０％未満がスペクトルと重なるという意味であると理解される。
【００１６】
また、照明系及び観察系が、２つより多くの、かつ、異なる数の動作状態をそれぞれ有し得ること、並びに、観察系が１つよりも多い観察光路を有し得ることは、当業者には明らかである。
【００１７】
また、顕微鏡システムは、照明系及び観察系を第１の動作状態に選択的に切り替えるか、あるいは、照明系及び観察系を第２の動作状態に選択的に切り替えるように構成された制御装置をさらに含む。
【００１８】
このように、制御装置は、照明系及び観察系の動作状態の（例えば、機械的及び／又は電気的）結合を行なう。例えば、動作状態の切り替えは、制御装置によって開始してもよく、あるいは、制御装置が照明系及び／又は観察系の動作状態の変化を検出し次第行なってもよい。また、一実施の形態によれば、照明系及び観察系の動作状態の切り替えは、実質的に同時に、すなわち、１０秒未満、好ましくは、１秒未満の間隔で行なってもよい。
【００１９】
照明系及び観察系の両方が、異なる蛍光色素に適合された少なくとも２つの動作状態をそれぞれ有し、制御装置が、照明系及び観察系の動作状態を当該動作状態が観察対象の蛍光色素にそれぞれ適合されるように自動的に切り替えるため、顕微鏡システムは、異なる蛍光色素の観察間で特に迅速、容易、かつ、確実に切り替えが可能である。これにより、例えば手術中といった厳しい条件下であっても、上記顕微鏡システムを用いることによって異なる蛍光の観察が可能となる。さらに、制御装置を設けることにより、照明系及び観察系の調整不良（a lack of adaptation）に起因する誤観察を特に容易かつ効率的に回避することができる。
【００２０】
一実施の形態によれば、赤外線フィルタキャリアによって支持された赤外線バリアフィルタが、第１の観察光路内に配置され、赤外線フィルタキャリアは、赤外線バリアフィルタが第１の観察光路内に配置された第１の動作状態、及び第１の観察光路に赤外線バリアフィルタが存在しない第２の動作状態を有する。この点に関し、赤外線バリアフィルタは、７００ｎｍを超える波長を有する近赤外放射線に対して不透明なフィルタであると理解される。制御装置は、照明系、観察系及び赤外線フィルタキャリアを第１の動作状態に選択的に切り替えるか、あるいは、照明系、観察系及び赤外線フィルタキャリアを第２の動作状態に選択的に切り替えるように構成されている。その結果、赤外線フィルタキャリアの動作状態もまた各被検査蛍光色素に対応することが、制御装置によって自動的に保証される。
【００２１】
さらなる一実施の形態によれば、照明系の少なくとも１つの動作状態において、照明フィルタキャリアによって支持された照明フィルタが、照明系によって形成される照明光路内に配置され、この照明フィルタは、観察対象の蛍光色素の励起帯に対して透明であると同時に、別の蛍光色素の励起帯に対して実質的に不透明である。
【００２２】
本願において、ある１つの帯域に対して実質的に透明なフィルタとは、その帯域の幅の５０％以上、好ましくは、７０％以上、さらに好ましくは、９０％以上を含む波長範囲の放射線に対して、５０％を超える、特に好ましくは、７０％を超える、さらに好ましくは、９０％を超える（放射線の強度に対する（based on intensity of radiation））透明性を有するフィルタであると理解される。これに対応して、ある１つの帯域に対して実質的に／部分的に不透明なフィルタとは、その帯域の幅の４０％以下、好ましくは、２０％以下、さらに好ましくは、１０％以下を含む波長範囲の放射線に対して、５０％を超える（放射線の強度に対する）透明性を有するフィルタであると理解される。
【００２３】
あるいは、もしくはさらに、観察系の少なくとも１つの動作状態において、第１の観察フィルタキャリアによって支持された観察フィルタが、観察系によって形成される観察光路内に配置され、この観察フィルタは、被観察蛍光色素の蛍光帯に対して透明であると同時に、別の蛍光色素の蛍光帯に対して実質的に不透明である。
【００２４】
さらなる一実施の形態によれば、観察系は、物体平面を光学的に結像するための第２の観察光路を含んでいてもよく、第２の観察フィルタキャリアが第２の観察光路内に配置され、この第２の観察フィルタキャリアは、第２の観察フィルタを支持し、少なくとも第１及び第２の動作状態間において切り替えが可能であり、制御装置は、照明系及び第２の観察フィルタキャリアを第１の動作状態に選択的に切り替えるか、あるいは、照明系及び第２の観察フィルタキャリアを第２の動作状態に選択的に切り替えるように構成されている。従って、この実施の形態によれば、顕微鏡システムは、立体顕微鏡として構成することができる。第１及び第２の観察光路内で導かれる観察放射線のスペクトルは、互いに等しくなるように選択してもよく、あるいは、互いに異なるように選択してもよい。
【００２５】
一実施の形態によれば、少なくとも１つのフィルタキャリアは、フィルタキャリアによって支持された第１のフィルタが各光路内に配置された第１の動作状態と、フィルタキャリアによって支持された第１のフィルタが各光路の外側に配置された少なくとも１つの第２の動作状態との間で切り替えが可能である。
【００２６】
ここで、少なくとも１つのフィルタキャリアは、回転軸を中心として回転可能に取り付けられた支持要素を含んでもよく、また、支持要素を回転させるための駆動装置が設けられていてもよい。フィルタキャリアによって支持された上記少なくとも１つのフィルタは、回転軸から離間して支持要素上に配置されていてもよい。従って、フィルタキャリアは、フィルタホイールとして構成されていてもよい。
【００２７】
あるいは、もしくはさらに、少なくとも１つのフィルタキャリアは、直線的に移動可能な支持要素を含んでいてもよく、支持要素を移動させるための駆動装置が設けられていてもよい。この少なくとも１つのフィルタは、支持要素上に設けていてもよい。従って、フィルタキャリアは、スライドフィルタとして構成されていてもよい。
【００２８】
あるいは、もしくはさらに、少なくとも１つのフィルタキャリアは、フィルタを支持していてもよく、このフィルタは、フィルタキャリアの第１の動作状態において第１のフィルタ特性を有し、フィルタキャリアの第２の動作状態において、第１のフィルタ特性とは異なる第２のフィルタ特性を有する。従って、フィルタキャリアは、切替可能フィルタ（例えば、電気的に切り替えが可能なＬＣフィルタ等）を支持することができる。
【００２９】
あるいは、もしくはさらに、少なくとも１つのフィルタキャリアは、第１のフィルタキャリアによって支持されたフィルタが、各光路の中心ビーム（core beam）（すなわち、当該光路の最も強度の高いビーム）に対して第１の傾斜角を有する第１の動作状態、及び上記フィルタが、中心ビームに対して第１の傾斜角とは異なる第２の傾斜角を有する第２の動作状態を有していてもよく、上記フィルタは、各光路内で導かれるビームに対して少なくとも２つの異なるフィルタ特性を上記少なくとも２つの異なる傾斜角に対して有し、上記フィルタを傾斜させるための駆動装置が設けられている。
【００３０】
本願の文脈において、フィルタ特性は、各フィルタの上昇又は下降する（declining）少なくとも１つのフィルタ勾配（filter slope）（放射線の５０％が透過する各波長に対する）が、２０ｎｍ以上、好ましくは、６０ｎｍ以上、さらに好ましくは、１８０ｎｍ以上ずれている場合に、異なるものであると考えられる。
【００３１】
一実施の形態によれば、照明フィルタキャリアは、異なるフィルタ特性を有する少なくとも２つの照明フィルタを支持し、第１及び／又は第２の観察フィルタキャリアは、異なるフィルタ特性を有する少なくとも２つの観察フィルタを支持している。一実施の形態によれば、各フィルタ特性は、被観察蛍光色素の励起帯及び蛍光帯をそれぞれ含むと同時に、別の蛍光色素の励起帯及び蛍光帯の一部を含まない。
【００３２】
上記少なくとも１つの照明フィルタ及び／又は上記少なくとも１つの観察フィルタ及び／又は上記赤外線バリアフィルタは、例えば、それぞれ、透過フィルタ又は反射フィルタであってもよい。例えば、体積反射ホログラム又は波長依存ビームスプリッタをフィルタとして用いてもよい。
【００３３】
さらなる一実施の形態によれば、顕微鏡システムは、物体平面を励起放射線で照明するための励起放射線源をさらに含み、励起放射線のスペクトルの帯域幅は、３００ｎｍ未満、好ましくは、２００ｎｍ未満であり、かつ、観察対象蛍光色素の励起帯を実質的に含み、励起放射線源は、励起放射線が射出される第１の動作状態、及び励起放射線が射出されない第２の動作状態を有し、制御装置は、励起放射線源及び観察系を第１の動作状態に選択的に切り替えるか、あるいは、励起放射線源及び観察系を第２の動作状態に選択的に切り替えるように構成されている。従って、照明系の動作状態の適合は、励起放射線源をオン又はオフに切り替えることによって行なうことができる。あるいは、励起放射線源は、照明系に加えて、あるいは、これの代わりに設けられていてもよい。ある１つの帯域を実質的に含むスペクトルとは、スペクトル及び帯域の両方を標準化した後に、帯域の領域の５０％を超える、好ましくは、７０％を超える、さらに好ましくは、９０％を超える領域がスペクトルと重なることを意味すると理解される。
【００３４】
さらなる一実施の形態によれば、観察系は、第１の観察光路内に配置された画像データを生成するため第１のカメラと、較正装置とをさらに含み、較正装置は、カメラによって生成された画像データを受信し、かつ、画像データに色較正を行なう第１の動作状態、及び画像データをそのまま維持する第２の動作状態を有し、制御装置は、照明系、観察系及び較正装置を第１の動作状態に選択的に切り替えるか、あるいは、照明系、観察系及び較正装置を第２の動作状態に選択的に切り替えるように構成されている。従って、画像データに含まれる色収差を電子的に補正することができる。
【００３５】
さらなる一実施の形態によれば、顕微鏡システムは、制御装置に接続された通信インタフェースをさらに含み、通信インタフェースは、それぞれの目的の蛍光色素の入力を可能とし、制御装置は、フィルタキャリア及び／又は励起放射線源及び／又は較正装置の動作状態を、通信インタフェースを介して示されるそれぞれの蛍光色素に反応して、所定の依存度（dependence）にしたがって制御する。この所定の依存度は、例えば、制御装置のデータベースに格納され得る。
【発明を実施するための最良の形態】
【００３６】
以下、本発明の好ましい実施の形態について図面を参照しながらさらに詳細に説明する。ここで、
図１は、本発明の一実施の形態の顕微鏡システムにおける光路の概略図を示し、
図２Ａ、図２Ｂ及び図２Ｃは、図１に示す顕微鏡システムにおいて用いることが可能なフィルタキャリアの異なる実施の形態の概略図を示し、
図３Ａ、図３Ｂ及び図３Ｃは、図２Ａ、図２Ｂ及び図２Ｃに示すフィルタキャリアによって支持されたフィルタの透過特性を示す。
【００３７】
図１に概略的に示す顕微鏡システム１は、光軸（主軸）２１を持つ対物レンズ２０を有する顕微鏡光学系２を含む。検査対象物体２２は、対物レンズ２０の物体平面内に配置されている。物体２２から発する光は、対物レンズ２０によって平行ビーム束になり、平行ビーム束において、２つのズーム系３０、３１が光軸２１から離間して配置され、ズーム系３０、３１は、それぞれ、平行ビーム束からサブビーム束を選択し、これによって、第１及び第２の観察光路３３及び３２を規定する。第１及び第２の観察光路３３及び３２のサブビーム束は、図１に図示されていない偏向プリズムによって、観察者が左目４０及び右目４１でそれぞれ覗き込んでいる接眼レンズ３４、３５に導かれ、物体２２の拡大像を画像として知覚する。この点に関し、左目４０によって知覚される画像は、光軸に対して角度αで物体を観察する場合の画像に対応し、右目４１によって知覚される画像は、光軸２１に対して角度−αで物体２２を観察する場合の画像に対応している。従って、観察者は、物体２２の立体画像を両目４０、４１で知覚する。
【００３８】
光の一部をビームとして結合出力するための半反射ミラー３６が、第２の観察光路３２内に配置されている。このようにして結合出力されたビームは、別の観察者が物体２２の拡大像を画像として知覚することができる接眼レンズ５０へ導かれる。あるいは、上記ビームは、カメラなどへ導かれてもよい。
【００３９】
図１に示す顕微鏡システム１の物体２２を光学的に結像するために、第１及び第２の観察フィルタキャリア６０、６０’が第１及び第２の観察光路３３、３２内にそれぞれ配置されている。図１において、第１及び第２の観察フィルタキャリア６０、６０’は、それぞれ、軸着された（pivot-mounted）アルミニウム製ディスクであり、これらはそれぞれ、２つの異なる透過フィルタ６１、６２及び６１’、６２’、並びに、１つの開口６３及び６３’を支持している。あるいは、観察フィルタキャリア６０、６０’は、硬質プラスチック、又はアルミニウム以外の別の適した材料で形成されていてもよい。
【００４０】
透過フィルタ６１及び６１’は、それぞれのフィルタ特性（透過特性）に関して同一であり、透過フィルタ６２及び６２’は、それぞれのフィルタ特性に関して異なっている。図示の実施の形態において、フィルタ６１及び６１’は、図３Ａの実線で示すフィルタ特性６１ｃを有し、フィルタ６２は、図３Ｂの実線で示すフィルタ特性６２ｃを有し、フィルタ６２’は、図３Ｂの実線で示すフィルタ特性６２ｃ’を有する。フィルタ６１、６１’のフィルタ特性６１ｃは、約６２０ｎｍに閾値（勾配）を有し、その閾値未満では、フィルタ６１、６１’は、実質的に不透明となり、その閾値を超えると、フィルタ６１、６１’は実質的に透明となる。フィルタ６２、６２’のフィルタ特性６２ｃ及び６２ｃ’は、それぞれ、約７００ｎｍ又は９００ｎｍに閾値を有し、その閾値未満では、フィルタ６２、６２’は、実質的に透明となり、その閾値を超えると、フィルタ６２、６２’は、実質的に不透明となる。
【００４１】
また、蛍光色素プロトポルフィリンＩＸの蛍光帯Ｆ１及び励起帯Ａ１、並びに、蛍光色素ＩＣＧ（インドシアニングリーン）の蛍光帯Ｆ２及び励起帯Ａ２を図３Ａ、図３Ｂ及び図３Ｃに示す。
【００４２】
それぞれが制御装置３に接続され同装置によって制御される２つの駆動装置６４及び６４’を用いることにより、第１及び第２の観察フィルタキャリア６０、６０’は、フィルタ６１、６１’がそれぞれ第１又は第２の観察光路３３、３２内に配置された第１の動作状態、フィルタ６２、６２’がそれぞれ第１又は第２の観察光路３３、３２内に配置された第２の動作状態、及び開口６３、６３’がそれぞれ第１又は第２の観察光路３３、３２内に配置された第３の動作状態に選択的に切り替えが可能である。従って、駆動装置６４及び６４’を用いることにより、制御装置３は、第２の観察光路３２内におけるものと同じか又は異なるフィルタ特性を有するフィルタが第１の観察光路３３に配置されるように、第１及び第２の観察フィルタキャリア６０、６０’を選択的に制御する。
【００４３】
例えば、物体２２に導入されたＩＣＧを励起する場合、励起放射線（通常は白色光）を用いて物体２２を観察するために、フィルタ６２を第１の観察光路３３内に配置することができ、同時に、近赤外放射線を遮蔽することが可能となる。７００ｎｍを超える近赤外放射線が遮蔽されるので、フィルタ６２の後ろの区間の第１の観察光路３３におけるスペクトルは、プロトポルフィリンＩＸの蛍光帯の一部を含まない。本文脈において、ある１つの帯域の一部を含まないスペクトルとは、スペクトル及び帯域の両方を標準化した後に、帯域の領域の４０％未満、好ましくは、２０％未満、さらに好ましくは、１０％未満が、スペクトルと重なるという意味であると理解される。同時に、開口６３は、例えば、励起放射線下での物体２２及び物体２２に導入された蛍光色素ＩＣＧの蛍光を同時に観察するために、第２の観察光路３２内に配置することができる。
【００４４】
本発明は、上述の観察フィルタキャリア及び観察フィルタに限定されるものではない。むしろ、観察フィルタキャリアは、フィルタ特性の異なる任意の数のフィルタをそれぞれ支持し得る。図２Ａは、代替例として使用が可能である、フィルタ特性の異なる３つの観察フィルタ６１*、６２*、６５*と、開口６３*とを有する観察フィルタキャリア６０*の上面図を概略的に示す。本願において、各フィルタの少なくとも１つの上昇又は下降するフィルタ勾配（放射線のちょうど５０％が透過するそれぞれの波長に対して）が、２０ｎｍ以上、好ましくは、６０ｎｍ以上、さらに好ましくは、１８０ｎｍ以上ずれている場合に、フィルタ特性は、異なるものであると考えられる。
【００４５】
さらなる半反射ミラー３９が、さらなるビームを第１の観察光路３３から結合出力し、このビームは、光軸２１に対して角度−αでの観察中にＣＣＤカメラ５６が物体２２を撮像することが可能となるように、カメラアダプタ光学系５５によってＣＣＤカメラ５６の感光領域５６’へ移送される。ＣＣＤカメラ５６は、固定して組み込まれた赤外線バリアフィルタを有しない。
【００４６】
むしろ、上面図が図２Ｂに概略的に示される赤外線フィルタキャリア５５が、半反射ミラー３９とカメラ光学系５５との間のビーム内に配置されている。図２Ｂに示す実施の形態において、赤外線フィルタキャリア５７は、金属製キャリアを有し、この金属製キャリアは、赤外線バリアフィルタ５７’を支持し、かつ、駆動装置５８により、２つの動作状態間でビームに対して垂直に直線的に移動され得る。さらに、金属製キャリアは、開口５７’’を有する。赤外線バリアフィルタ５７’は、７００ｎｍを超える波長を有する近赤外放射線に対して実質的に不透明で、図３Ｃに概略的に示すフィルタ特性５７ｃを有する反射フィルタである。
【００４７】
赤外線フィルタキャリア５７の第１の動作状態において、赤外線バリアフィルタ５７’は、半反射ミラー３９とカメラ光学系５５との間のビーム内に配置され、第２の動作状態において、開口５７’’は、赤外線バリアフィルタ５７’がしたがって存在しないビーム内に配置される。従って、第１の動作状態において、赤外線バリアフィルタ５７’とＣＣＤカメラ５６との間の区間の第１の観察光路３３におけるスペクトルは、プロトポルフィリンＩＸの蛍光帯の一部を含まない。
【００４８】
駆動装置５８は、駆動装置５８を用いることによって赤外線フィルタキャリア５７の各動作状態を制御する制御装置３に接続されている。
【００４９】
駆動装置５８を用いることによって直線的に移動可能な上記赤外線フィルタキャリア５７の代わりに、図２Ｃに概略的に示す赤外線フィルタキャリア５７*を用いることができ、赤外線フィルタキャリア５７*は、制御装置３を用いることによって電気的に切り換えることが可能なＬＣフィルタ５７*’を支持し、ＬＣフィルタ５７*’は、フィルタキャリア５７*の第１の動作状態において、７００ｎｍを超える波長を有する近赤外放射線に対して実質的に不透明であり、第２の動作状態において、７３０ｎｍを超える波長を有する近赤外放射線に対して実質的に不透明である。
【００５０】
また、駆動装置５８を用いることによって直線的に移動可能な上記赤外線フィルタキャリア５７の代わりに、図２Ｃに示すものと類似したフィルタを支持するフィルタキャリアを用いてもよく、このフィルタキャリアは、フィルタキャリアによって支持されたフィルタが、それぞれの光路の中心ビームに対して第１の傾斜角を持つ第１の動作状態、及びフィルタが中心ビームに対して第１の傾斜角とは異なる第２の傾斜角を持つ第２の動作状態を有する。この点に関し、フィルタは、それぞれの光路内で導かれる放射線に対する２つの異なるフィルタ特性を、上記少なくとも２つの異なる傾斜角に対して有し、フィルタを傾斜させるための駆動装置が設けられている。従って、図２Ｃに示すフィルタとは異なり、フィルタ特性は、フィルタを電気的に切り換えることによって直接的に変わるのではなく、放射線が透過する角度を変更することによって間接的に変わる。このようなフィルタは、例えば、体積反射ホログラムによって実現することができる。
【００５１】
図１に示す実施の形態において、赤外線フィルタキャリア５７は、カメラ光学系５５のすぐ前に、従って、ＣＣＤカメラ５６の前に配置されているが、代わりに、赤外線フィルタキャリアは、物体２２と半反射ミラー３９との間の第１の観察光路３３内の任意の位置に配置することができる。例えば、少なくとも２つの動作状態間で切り替えが可能な切替可能フィルタキャリアは、半反射ミラー３９、ＣＣＤカメラ５６、又は第１の観察フィルタキャリア６０内に一体化してもよい。
【００５２】
ＣＣＤカメラ５６によって撮像された画像は、画像データとしてデータ・ラインを介して評価装置（図示せず）に送信される。
【００５３】
図１に示す実施の形態によれば、ＣＣＤカメラ５６によって生成された画像は、画像データとしてさらなるデータ・ラインを介して色収差を補正するための較正装置５９にさらに送信される。較正装置５９は、制御装置３に接続されており、画像データの電気的な色較正を行なって、色収差（例えば、赤外放射線によって生じる）を補正し、補正された画像データを評価装置に送信する第１の動作状態を有する。また、較正装置５９は、変更されていない画像データを評価装置に送信する第２の動作状態を有する。較正装置のこれら２つの動作状態は、後述するように、制御装置によって制御される。対応する較正装置が設けられている場合は、上記別個の赤外線フィルタキャリアを必要に応じて省略してもよい。
【００５４】
さらなる代替例として、カメラが生成した画像データにおいて赤外放射線によって生じる色収差を補正するために、当業者は、赤外放射線を発生させる照明源の周期的運転及びカメラの非周期的読み取り、並びに、赤外放射線をカメラの赤色チャンネルに完全に導く色分離器を有する３チップカメラの使用による赤外放射線に起因する色収差の発生を防止することに精通しているであろう。さらに、当業者には、ＲＲ’ＧＢ−ベイヤフィルタを有するカメラが公知であり、ＲＲ’ＧＢ−ベイヤフィルタのＲ部分は、例えば、７００ｎｍ未満の波長を有する放射線のみを透過させ、ＲＲ’ＧＢ−ベイヤフィルタのＲ’部分は、例えば、７００ｎｍ〜７３０ｎｍの波長を有する放射線を透過させるか、あるいは、例えば、７３０ｎｍまでの波長の放射線のみを透過させる。このようなＲＲ’ＧＢ−ベイヤフィルタにより、入射放射線に含まれる赤外線部分を別個に読み取ることが可能となる。
【００５５】
カメラが生成した画像データにおいて特に赤外放射線によって生じる色収差を補正するための上記の別の概念を適用する場合、ＣＣＤカメラ５６の前に設けられる上記別個の赤外線バリアフィルタ５７’、５７*’は、必要に応じて省略することが可能である。さらに、フィルタ特性６２ｃを有し、かつ、第１の観察フィルタキャリア６０によって支持されたフィルタ６２が第１の観察光路３３内に配置されている場合は、ＣＣＤカメラ５６の前に設けられる上記赤外線バリアフィルタ５７’、５７*’を必要に応じて省略することが可能である。
【００５６】
さらなる半反射フィルタ３８が、さらなるビームを第２の観察光路３２から結合出力し、このビームは、光軸２１に対して角度αで観察される場合の物体２２の赤外線画像を赤外線カメラ５４の感光面５４’が生成することができるように、カメラアダプタ光学系５３を介して感光面５４’に導かれる。この目的を達成するため、赤外線フィルタ５２が、半反射ミラー３８とカメラ光学系５３との間のビーム内に配置されている。赤外線フィルタ５２は、図３Ｃに点線で概略的に示すフィルタ特性５２ｃを有する、８００ｎｍを超える波長を有する近赤外放射線に対して実質的に透明な反射フィルタである。フィルタ特性５２ｃは、約８００ｎｍに閾値を有し、その閾値を超えると、フィルタ５２は、実質的に透明となり、その閾値未満では、フィルタ５２は、実質的に不透明となる。赤外線カメラ５４によって生成された赤外線画像は、画像データとしてデータ・ラインを介して評価装置に送信される。
【００５７】
それぞれのフィルタキャリアの対応する動作状態においてフィルタ特性６２ｃ’を有するフィルタ６２’と協働可能である、図３Ｃに示すフィルタ特性５２ｃを有するフィルタ５２の代わりに、フィルタ５２は、約８００ｎｍ〜９００ｎｍの透過域を有する帯域通過フィルタとして構成してもよい。その場合、フィルタ６２’は、省略することができる。
【００５８】
カメラ５４及び５６によって生成された画像は、評価装置によって、画像データとして、図示しないラインを介してモニタ５に送信される。この目的を達成するため、評価装置は、まず、赤外線カメラ５４によって生成された画像データを可視域に変換する。
【００５９】
図１に示す顕微鏡システム１は、キセノンランプ７１と、照明光学系７２、７３と、照明フィルタキャリア７６とを備えた照明系７０をさらに含む。キセノンランプ７１の代わりに、他の任意の種類のランプ、例えば、ハロゲンランプを用いてもよい。
【００６０】
図１において、照明光学系７２、７３は、対物レンズ２０に比較的近接して配置されている。しかし、この図においては、照明光学系７２、７３によって形成される照明光路７５の主軸は、対物レンズ２０の光軸２１に対して比較的大きい角度で傾斜して物体２２に向かって延びている。照明光路７５の主軸と対物レンズ２０の光軸２１との間の角度がこのように比較的大きい場合には、例えば、組織（物体２２に相当）を当該組織の深い穴の底部において観察する際に、この底部が十分に照明されず、従って、物体２２の目的とする領域を満足に観察することができないということになり得る。従って、このような用途では、照明光路７５の主軸が、光軸２１に対して小さい角度で傾斜して物体に向くように照明系７０を配置することが好ましい（例えば、光ビームが対物レンズのレンズを通過するか、あるいは、対物レンズ内のレンズに照明光ビームが通過する孔を設けることによる）。
【００６１】
照明系７０の照明フィルタキャリア７６は、照明光路７５内に配置されている。図示の実施の形態において、照明フィルタキャリア７６は、軸着された円形ディスクであり、蛍光色素プロトポルフィリンＩＸの励起帯Ａ１に対して透明であると同時に、蛍光色素ＩＣＧの励起帯に対して実質的に不透明である第１の照明フィルタ７７を支持している。対応するフィルタ特性７７ｃを図３Ａにおいて点線で示す。
【００６２】
本発明の文脈において、ある１つの帯域に対して実質的に透明なフィルタとは、その帯域の幅の５０％以上、好ましくは、７０％以上、さらに好ましくは、９０％以上を含む第１の波長範囲の放射線に対して、５０％以上、好ましくは、７０％を超える、さらに好ましくは、９０％を超える（放射線の強度に対する）透明性を有するフィルタであると理解される。これに対応して、ある１つの帯域に対して実質的に／部分的に不透明なフィルタとは、このフィルタが、その帯域の幅の４０％以下、好ましくは、２０％以下、さらに好ましくは、１０％以下を含む波長範囲の放射線を５０％（放射線の強度に対する）よりも多く透過させるという意味であると理解される。
【００６３】
照明フィルタキャリア７６は、図３Ｂに点線で示すフィルタ特性７８ｃを有する第２の照明フィルタ７８をさらに支持している。このように、第２の照明フィルタ７８は、４００ｎｍ〜７８０ｎｍの放射線、従って、励起帯Ａ１、Ａ２の放射線（かつ、通常は白色光）に対して透明であり、７８０ｎｍを超える波長を有する放射線に対して５％未満の透過率（transmission rate）を有する。
【００６４】
照明フィルタキャリア７６は、７００ｎｍを超える赤外放射線に対して不透明であり、キセノンランプ７１によって白色光で照明された場合に物体２２の過剰加熱を防ぐために用いられる赤外線バリアフィルタ７４をさらに支持している。特に図示されていない別の一実施の形態によれば、赤外線バリアフィルタ７４は、照明フィルタキャリア７６とは別に照明光路７５内に配置してもよく、また、制御装置３によって制御される複数の動作状態を選択的に有していてもよい（赤外線フィルタキャリア５７と同様）。赤外線バリアフィルタ７４のフィルタ特性は、図３Ｃに示すフィルタ特性５７ｃと同等であるが、これとは異なっていてもよい。
【００６５】
照明フィルタキャリア７６が、３つよりも多いかあるいは、少ない照明フィルタを支持してもよいことは明らかである。あるいは、照明フィルタキャリア７６は、フィルタリングされていない照明放射線を透過させるための開口をさらに有していてもよい。
【００６６】
制御装置３に接続された駆動装置７９を用いることにより、照明フィルタキャリア７６は、照明フィルタキャリア７６によって支持された第１の照明フィルタ７７が照明光路７５内に配置された第１の動作状態と、照明フィルタキャリア７６の第２の照明フィルタ７８が照明光路７５内に配置された第２の動作状態と、赤外線バリアフィルタ７４が照明光路７５内に配置された第３の動作状態との間で切り替えが可能である。
【００６７】
従って、照明フィルタキャリア７６の第１の動作状態において、物体２２に導かれる照明系７０の照明放射線は、蛍光色素プロトポルフィリンＩＸの励起帯Ａ１を含むと同時に、蛍光色素ＩＣＧの励起帯Ａ２の一部を含まないスペクトルを有する。また、照明フィルタキャリア７６の第２の動作状態において、物体２２に導かれる照明系７０の照明放射線は、本実施の形態においては７８０ｎｍまでの白色光に対応する、蛍光色素ＩＣＧの第２の励起帯Ａ２を含むスペクトルを有する。第３の動作状態において、７００ｎｍまでの白色光下で照明が行なわれ、近赤外放射線は、被観察物体２２の過剰加熱を防ぐためにフィルタリングされる。
【００６８】
キセノンランプ７１は、制御装置３にさらに接続されており、スイッチＯＮ動作状態及びスイッチＯＦＦ動作状態を有する。
【００６９】
上記で使用されるフィルタ５７’、６１、６１’、６２、６２’、７７は、透過フィルタ又は反射フィルタとして選択され得る。また、上記フィルタは、必要に応じて、帯域通過フィルタ（例えば、フィルタ５２、５７、６１、６２、６２’）又はノッチフィルタ（例えば、フィルタ７７、７８）であってもよい。
【００７０】
図１に示す顕微鏡システム１は、物体２２を励起放射線８１で照明するためのダイオード８０をさらに含む。図示される実施の形態において、励起放射線８１は、ミラー８２によって、対物レンズ２０の主軸２１に沿って反射される。ダイオード８１によって生成される励起放射線８１のスペクトルの帯域幅は、蛍光色素ＩＣＧの励起帯Ａ２を実質的に含む。この点に関し、ある１つの帯域を実質的に含むスペクトルとは、スペクトル及び帯域を標準化した後、帯域の領域の５０％を超える、好ましくは、７０％を超える、さらに好ましくは、９０％を超える領域がスペクトルと重なるという意味であると理解される。ダイオード８０は、制御装置３によって制御され、励起放射線を射出する第１の動作状態、及び励起放射線を射出しない第２の動作状態を有する。
【００７１】
図示される実施の形態において、顕微鏡システム１の制御装置３は、適切にプログラム設定されたマイクロプロセッサで構成されている。
【００７２】
制御装置３は、ユーザがそれぞれの目的の蛍光色素を例えばコードの形態で入力するのを可能にするキーボード４に接続されている。さらに、制御装置３は、制御装置３の各動作状態を表示するためのモニタ５に接続されている。モニタ５は、画像データを表示するために評価装置によっても使用される。
【００７３】
制御装置３は、キセノンランプ７１のフィルタキャリア５７、６０、６０’、７６、ダイオード８０及び較正装置５９の各動作状態を、キーボード４を介した蛍光色素の入力に応答して、予め定義された依存度にしたがって制御する。この予め定義された依存度は、制御装置３のデータベース６に表形式で格納されており、フィルタキャリア５７、６０、６０’、７６、キセノンランプ７１、ダイオード８０及び較正装置５９の適した動作状態を複数の蛍光色素に対して示す。この点に関し、同一の蛍光色素に対する異なる依存度を異なる検査方法に対して格納することが可能である。
【００７４】
以下、制御装置３の動作について３つの実施例を参照しながら説明する。しかし、本発明は、これらの実施例に限定されるものではない。
【００７５】
実施例１
制御装置３は、キーボードを介して、白色光下での物体２２の観察及びＩＣＧ蛍光色素の観察が同時に行なわれることを示すコードを受け付ける。
【００７６】
このようなコードを受け付けた後、制御装置は、顕微鏡システム１の要素（本実施例においては、すなわち、フィルタキャリア５７、６０、６０’、７６、キセノンランプ７１、ダイオード８０及び較正装置５９）の動作状態の適した依存度を求めてデータベース６を探索する。
【００７７】
検出された依存度により、制御装置３は、キセノンランプ７１のスイッチＯＮ動作状態を自動的に生じさせ、照明フィルタキャリア７６が、フィルタ特性７８ｃを有する照明フィルタ７８を照明光路７５内に配置するように、照明系７０の駆動装置７９を制御する。その結果、物体２２は、実質的に白色光で照明され、ＵＶ放射線及び赤外放射線のそれぞれが物体を照明することが概ね回避される。
【００７８】
同時に、制御装置３は、第１の観察フィルタキャリア６０がフィルタ特性６２ｃを有する観察フィルタ６２を、第２の観察フィルタキャリア６０’がフィルタ特性６２ｃ’を有する観察フィルタ６２’を、第１又は第２の観察光路３３、３２内にそれぞれ配置するように、駆動装置６４及び６４’を自動的に制御する。従って、両方の観察光路３２、３３及びＣＣＤカメラ５６により、白色光下での物体２２の観察が可能となる。さらに、ＣＣＤカメラ５６が生成する画像において赤外放射線に起因する色収差が発生するのを防止するために、第１の観察光路３３において、近赤外放射線のフィルタリングが行なわれる。また、第２の観察光路３２により、赤外線カメラ５４によるＩＣＧの蛍光の観察が可能となる。
【００７９】
フィルタ特性６２ｃを有する観察フィルタ６２を第１の観察光路３３内に配置する代わりに、制御装置は、赤外線フィルタキャリア５７の赤外線バリアフィルタ５７’及び第１の観察フィルタキャリア６０の開口６３が対応付けられた光路内に配置されるように、駆動装置５８及び６４をデータベースに応じて自動的に制御することもできる。
【００８０】
またあるいは、制御装置３は、較正装置５９を、較正装置５９がＣＣＤカメラ５６によって生成された画像データの色較正を行なって、ＩＣＧ蛍光色素の蛍光によって生じ得る色かぶり（color cast）を補正するように、データベースに応じて自動的に制御することもできる。
【００８１】
実施例２
制御装置３は、キーボードを介して、励起用のキセノンランプ７１を用いることによるプロトポルフィリンＩＸ蛍光色素の観察が行なわれることを示すコードを受け付ける。
【００８２】
このようなコードを受け付けた後、制御装置は、顕微鏡システム１の要素の動作状態の依存度を求めてデータベースを自動的に探索する。
【００８３】
検出された依存度により、制御装置３は、キセノンランプ７１のスイッチＯＮ動作状態を自動的に生じさせ、照明フィルタキャリア７６が、フィルタ特性７４ｃを有する照明フィルタ７７を照明光路７５内に配置するように、照明系７０の駆動装置７９を自動的に制御する。その結果、物体２２は、実質的にプロトポルフィリンＩＸ用の励起放射線によってのみ照明され、照明光路のスペクトルは、ＩＣＧ励起帯の一部を含まない。
【００８４】
同時に、制御装置は、第１の観察フィルタキャリア６０が観察フィルタ６１を、第２の観察フィルタキャリア６０’が観察フィルタ６１’を、対応付けられた第１及び第２の観察光路３３、３２内にそれぞれ配置するように、駆動装置６４及び６４’を自動的に制御する。その結果、両方の観察光路３２及び３３により、蛍光の観察が可能となる。さらに、フィルタ特性７７ｃと６１ｃとの重なりにより、物体２２の立体視観察が同時に可能となる。
【００８５】
また、制御装置は、赤外線フィルタキャリア５７の開口５７’’が対応付けられた光路内に配置されるように、駆動装置５８を自動的に制御する。従って、ＣＣＤカメラ５６は、蛍光色素プロトポルフィリンＩＸの蛍光帯Ｆ１全体の蛍光を受光することができる。また、制御装置３は、較正装置５９がＣＣＤカメラ５６によって生成される画像データの色較正を近赤外放射線に対しては行なわず、生成された画像に含まれる既存の赤色部分のみを強調するように、較正装置５９を制御する。照明フィルタ７７のフィルタ特性７７ｃにより、照明放射線のスペクトルは赤外域から十分に離れているため、照明放射線の赤外放射線に起因する色収差は起こり得ない。
【００８６】
実施例３
制御装置３は、キーボードを介して、ダイオード８０を用いた励起によるＩＣＧ蛍光色素の観察が行なわれることを示すコードを受け付ける。
【００８７】
このようなコードを受け付けた後、制御装置は、顕微鏡システム１の要素の動作状態の適した依存度を求めてデータベース６を自動的に探索する。
【００８８】
検出された依存度により、制御装置３は、キセノンランプ７１のスイッチＯＮ動作状態、及びダイオード８０のスイッチＯＮ又はスイッチＯＦＦの交互の状態を自動的に生じさせる。また、制御装置３は、照明フィルタキャリア７６が、赤外線バリアフィルタ７４を照明光路７５内に配置するように、照明系７０の駆動装置７９を自動的に制御する。その結果、物体２２は、交互に、キセノンランプ７１によって白色光でのみ照明されるか、あるいは、キセノンランプ７１によって白色光で照明されると同時にダイオード８０によってＩＣＧ用の励起放射線で照明される。
【００８９】
また、制御装置３は、第１の観察フィルタキャリア６０が開口６３を、第２の観察フィルタキャリア６０’がフィルタ特性６２ｃを有するフィルタ６２’を、対応付けられた第１及び第２の観察光路３３、３２内にそれぞれ配置するように、駆動装置６４及び６４’を自動的に制御する。また、制御装置は、赤外線フィルタキャリア５７が赤外線バリアフィルタ５７’をＣＣＤカメラ５６の前の光路内に配置するように駆動装置５８を制御する。
【００９０】
一方、制御装置３は、ダイオード８０の活性化（activation）と同期して赤外線カメラ５４を読み出すと共に、ＣＣＤカメラ５６を永続的に読み出す。制御装置３は、ダイオード８０の照明休止期間にＣＣＤカメラ５６によって生成された画像を、ダイオード８０の照明期間中に赤外線カメラ５４によって生成された画像から差し引く。その結果、赤外線カメラ５４によって生成された蛍光画像と、ＣＣＤカメラ５６によって生成された物体２２の画像とを特にはっきりと区別することが可能になると同時に、物体の立体視的な目視観察が可能となる。
【００９１】
図示される実施の形態において、各動作状態間の切り替えは、制御装置３によって実質的に同期して行なわれる。つまり、顕微鏡システムの最初の要素の動作状態の切り替えと、顕微鏡システムの最後の要素の動作状態との切り替えとの間の遅延は、１０秒未満、好ましくは、５秒未満、特に好ましくは、１秒未満である。
【００９２】
マイクロプロセッサを用いる上述の電気的な制御装置３の代わりに、制御装置３は、アナログ式にあるいは機械的に（例えば、ギア及び／又はボーデンケーブルを用いることによって）実現してもよい。
【００９３】
またあるいは、切り替えは、キーボード４によって開始される必要はなく、制御装置が顕微鏡システム１の少なくとも１つの要素の動作状態の変化（ユーザによって手動で行なわれた）を適当なセンサによって検出し、制御装置が、顕微鏡システム１のそれ以外の要素の動作状態を予め定義された依存度に応じて自動的に調整することにより、自動的に開始されてもよい。
【００９４】
照明系の要素及び観察系の要素の動作状態を、これらの動作状態が被観察蛍光色素にそれぞれ適合されるように、制御装置が自動的に切り替えるので、本発明の顕微鏡システムは、異なる蛍光色素の逐次観察を、厳しい衛生状態下においても、特に容易かつ確実に行なうことができる。制御装置を設けることにより、照明系及び観察系の調整不良による観察ミスが、特に容易かつ確実に回避される。
【００９５】
尚、本発明は、図１に示す顕微鏡システム又は上記蛍光色素の使用に限定されるものではない。
【００９６】
要約すると、物体平面内に配置された組織に蓄積される、異なる蛍光色素の逐次観察を行なうための顕微鏡システムが提案される。この目的を達成するため、物体平面を照明放射線で照明するための顕微鏡システムの照明系は、少なくとも２つの異なる動作状態を有し、２つの動作状態のうちの少なくとも１つの状態において、照明放射線は、第１の蛍光色素の励起帯を含むと同時に、別の蛍光色素の励起帯の一部を含まないスペクトルを有する。さらに、物体平面を光学的に結像するための第１の観察光路を形成するための顕微鏡システムの観察系もまた、少なくとも２つの異なる動作状態を有し、少なくとも２つの異なる動作状態のうちの１つの状態において、第１の観察光路内で導かれる観察放射線は、第１の観察光路の少なくとも一部の区間に第１の蛍光色素の蛍光帯を含むスペクトルを有し、他の動作状態のうちの１つの状態において、第１の観察光路内で導かれる観察放射線は、第１の観察光路の少なくとも一部の区間において、第１の蛍光色素の蛍光帯を含まない。また、顕微鏡システムは、照明系及び観察系を第１の動作状態に選択的に切り替えるか、あるいは、照明系及び観察系を第２の動作状態に切り替えるように構成された制御装置を含む。
【図面の簡単な説明】
【００９７】
【図１】図１は、本発明の一実施の形態の顕微鏡システムにおける光路の概略図を示す。
【図２】図２Ａ、図２Ｂ及び図２Ｃは、図１に示す顕微鏡システムにおいて用いることが可能なフィルタキャリアの異なる実施の形態の概略図を示す。
【図３】図３Ａ、図３Ｂ及び図３Ｃは、図２Ａ、図２Ｂ及び図２Ｃに示すフィルタキャリアによって支持されたフィルタの透過特性を示す。
【図１】
2009525495.tif 000003
【図２Ａ】
2009525495.tif 000004
【図２Ｂ】
2009525495.tif 000005
【図２Ｃ】
2009525495.tif 000006
【図３Ａ】
2009525495.tif 000007
【図３Ｂ】
2009525495.tif 000008
【図３Ｃ】
2009525495.tif 000009
【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
物体平面において異なる蛍光色素の蛍光を観察するための顕微鏡システムであって、
前記顕微鏡システムは、前記物体平面を照明放射線で照明するための照明系と、物体平面を光学的に結像するための第１の観察光路を形成するための観察系とを含み、前記観察系は、少なくとも１つのカメラをさらに含み、前記第１の観察光路内で導かれる観察放射線は前記カメラに供給が可能であり、
前記照明系は、前記照明放射線が第１の蛍光色素の第１の励起帯を含むと同時に、前記第１の蛍光色素とは異なる第２の蛍光色素の第２の励起帯の一部を含まないスペクトルを持つ第１の動作状態を有し、
前記観察系は、前記第１の観察光路内で導かれる観察放射線が前記第１の蛍光色素の蛍光帯を含むスペクトルを前記第１の観察光路の一部の区間において持つ第１の動作状態を有し、
前記照明系は、前記照明放射線が前記第２の蛍光色素の前記第２の励起帯を含むスペクトルを持つ少なくとも第２の動作状態を有し、
前記観察系は、赤外線フィルタキャリアによって支持された赤外線バリアフィルタを含み、前記第１の観察光路によって導かれる前記観察放射線は、前記赤外線バリアフィルタを介して前記カメラに供給が可能であり、
前記観察系は、前記第１の観察光路内で導かれる観察放射線が前記第１の蛍光色素の第１の蛍光帯の一部を含まないスペクトルを前記第１の観察光路の一部の区間において持つ少なくとも第２の動作状態を有し、
前記赤外線フィルタキャリアは、前記カメラの前の前記第１の観察光路に前記赤外線バリアフィルタが存在しない第１の動作状態、及び前記赤外線バリアフィルタが前記第１の観察光路において前記カメラの前に配置された第２の動作状態を有し、
前記顕微鏡システムは、制御装置をさらに含み、前記制御装置は、前記照明系、前記観察系及び前記赤外線フィルタキャリアを前記第１の動作状態に選択的に切り替えるか、あるいは、前記照明系、前記観察系及び前記赤外線フィルタキャリアを前記第２の動作状態に選択的に切り替えるように構成されていることを特徴とする顕微鏡システム。
【請求項２】
前記観察系の少なくとも１つの動作状態において、第１の観察フィルタキャリアによって支持された観察フィルタが前記第１の観察光路内に配置され、前記観察フィルタは、被観察蛍光色素の前記蛍光帯に対して透明であると同時に、別の蛍光色素の前記蛍光帯に対して実質的に不透明である、請求項１に記載の顕微鏡システム。
【請求項３】
前記観察系は、前記物体平面を光学的に結像するための第２の観察光路を有する、請求項１に記載の顕微鏡システム。
【請求項４】
物体平面において異なる蛍光色素の蛍光を観察するための顕微鏡システムであって、
前記顕微鏡システムは、前記物体平面を照明放射線で照明するための照明系と、前記物体平面を光学的に結像するための第１の観察光路及び第２の観察光路を同時に形成するための観察系とを含み、前記観察系は、少なくとも１つのカメラを含み、前記第１の観察光路によって導かれる観察放射線は、前記カメラに供給が可能であり、
前記照明系は、前記照明放射線が第１の蛍光色素の第１の励起帯を含むと同時に、前記第１の蛍光色素とは異なる第２の蛍光色素の第２の励起帯の一部を含まないスペクトルを持つ第１の動作状態を有し、
前記観察系は、第１の観察フィルタキャリアによって支持された観察フィルタが前記第１の観察光路内に配置された第１の動作状態を有し、前記観察フィルタは、前記第１の蛍光色素の前記第１の蛍光帯に対して透明であり、
前記照明系は、前記照明放射線が前記第２の蛍光色素の前記第２の励起帯を含むスペクトルを持つ少なくとも１つの第２の動作状態を有し、
前記観察系は、前記第１の観察フィルタキャリアによって支持された赤外線バリアフィルタが前記第１の観察光路内に配置された少なくとも１つの第２の動作状態を有し、
前記顕微鏡システムは、前記照明系及び前記観察系を前記第１の動作状態に選択的に切り替えるか、あるいは、前記照明系及び前記観察系を前記第２の動作状態に選択的に切り替えるように構成された制御装置をさらに含むことを特徴とする顕微鏡システム。
【請求項５】
赤外線フィルタキャリアによって支持された赤外線バリアフィルタが、前記第１及び第２の観察光路の少なくとも１つの光路内に配置され、前記赤外線フィルタキャリアは、前記第１の観察光路に前記赤外線バリアフィルタが存在しない第１の動作状態、及び前記赤外線バリアフィルタが前記第１の観察光路内に配置された第２の動作状態を有し、
前記制御装置は、前記照明系、前記観察系及び前記赤外線フィルタキャリアを前記第１の動作状態に選択的に切り替えるか、あるいは、前記照明系、前記観察系及び前記赤外線フィルタキャリアを前記第２の動作状態に選択的に切り替えるように構成されている、請求項４に記載の顕微鏡システム。
【請求項６】
前記観察系の前記第１の動作状態において、前記第１の観察光路に配置された前記観察フィルタは、同時に、他方の蛍光色素の前記蛍光帯に対して実質的に不透明である、請求項４に記載の顕微鏡システム。
【請求項７】
少なくとも１つのさらなる観察フィルタを支持し、少なくとも第１及び第２の動作状態間において切り替えが可能な第２の観察フィルタキャリアが、前記第２の観察光路内に配置され、
前記制御装置は、前記照明系及び前記第２の観察フィルタキャリアを前記第１の動作状態に選択的に切り替えるか、あるいは、前記照明系及び前記第２の観察フィルタキャリアを前記第２の動作状態に選択的に切り替えるように構成されている、請求項３又は４に記載の顕微鏡システム。
【請求項８】
前記第２の動作状態において、前記第２の観察フィルタキャリアは、前記第２の蛍光色素の蛍光の観察を可能にするフィルタを支持している、請求項７に記載の顕微鏡システム。
【請求項９】
前記照明系の少なくとも１つの動作状態において、照明フィルタキャリアによって支持された照明フィルタが、前記照明系によって形成される照明光路内に配置され、前記照明フィルタは、観察対象の蛍光色素の前記励起帯に対して透明であると同時に、別の蛍光色素の前記励起帯に対して実質的に不透明である、請求項１又は４に記載の顕微鏡システム。
【請求項１０】
前記照明フィルタキャリアは、異なるフィルタ特性を有する少なくとも２つの照明フィルタを支持し、
前記第１及び第２の観察フィルタキャリアの少なくとも１つは、異なるフィルタ特性を有する少なくとも２つの観察フィルタを支持している、請求項９に記載の顕微鏡システム。
【請求項１１】
前記少なくとも１つの照明フィルタ及び前記少なくとも１つの観察フィルタ及び前記赤外線バリアフィルタの少なくとも１つは、透過フィルタ又は反射フィルタである、請求項１又は４に記載の顕微鏡システム。
【請求項１２】
少なくとも１つのフィルタキャリアは、前記フィルタキャリアによって支持された第１のフィルタが前記それぞれの光路内に配置された第１の動作状態から、前記フィルタキャリアによって支持された前記第１のフィルタが前記それぞれの光路の外側に配置された少なくとも１つの第２の動作状態に切り替えが可能である、請求項１又は４に記載の顕微鏡システム。
【請求項１３】
少なくとも１つのフィルタキャリアが、回転軸を中心として軸着された支持要素と、前記支持要素を枢動させるための駆動装置とを有し、前記フィルタキャリアによって支持された前記少なくとも１つのフィルタは、前記回転軸から離間して前記支持要素上に配置されている、請求項１又は４に記載の顕微鏡システム。
【請求項１４】
少なくとも１つのフィルタキャリアが、直線的に移動可能な支持要素と、前記支持要素を移動させるための駆動装置とを有し、前記少なくとも１つのフィルタは前記支持要素上に配置されている、請求項１又は４に記載の顕微鏡システム。
【請求項１５】
少なくとも１つのフィルタキャリアがフィルタを支持し、前記フィルタは、前記フィルタキャリアの第１の動作状態において第１のフィルタ特性を有し、前記フィルタキャリアの第２の動作状態において前記第１のフィルタ特性とは異なる第２のフィルタ特性を有する、請求項１又は４に記載の顕微鏡システム。
【請求項１６】
少なくとも１つのフィルタキャリアは、前記フィルタキャリアによって支持されたフィルタが、前記それぞれの光路の中心ビームに対して第１の傾斜角を持つ第１の動作状態、及び前記フィルタが、前記第１の傾斜角とは異なる第２の傾斜角を前記中心ビームに対して持つ第２の動作状態を有し、前記フィルタは、前記それぞれの光路内で導かれる放射線に対して少なくとも２つの異なるフィルタ特性を前記少なくとも２つの異なる傾斜角に対して有し、前記フィルタを傾斜させるための駆動装置が設けられている、請求項１又は４に記載の顕微鏡システム。
【請求項１７】
前記顕微鏡システムは、前記物体平面を励起放射線で照明するための励起放射線源をさらに含み、前記励起放射線のスペクトルの帯域幅は、２００ｎｍ未満、実質的に１００ｎｍ未満であり、かつ、観察対象の蛍光色素の前記励起帯を実質的に含み、前記励起放射線源は、励起放射線が射出される第１の動作状態、及び励起放射線が射出されない第２の動作状態を有し、
前記制御装置は、前記励起放射線源及び前記観察系を前記第１の動作状態に選択的に切り替えるか、あるいは、前記励起放射線源及び前記観察系を前記第２の動作状態に切り替えるように構成されている、請求項１又は４に記載の顕微鏡システム。
【請求項１８】
前記照明系は、前記第１又は第２の観察光路内に配置された画像データを生成するための第１のカメラと、較正装置とをさらに含み、前記較正装置は、前記第１のカメラによって生成された前記画像データを受信し、かつ、前記画像データに色較正が行なわれる第１の動作状態、及び前記画像データがそのまま維持される第２の動作状態を有し、
前記制御装置は、前記照明系、前記観察系及び前記較正装置を前記第１の動作状態に選択的に切り替えるか、あるいは、前記照明系、前記観察系及び前記較正装置を前記第２の動作状態に選択的に切り替えるように構成されている、請求項１又は４に記載の顕微鏡システム。
【請求項１９】
前記顕微鏡システムは、前記制御装置に接続された通信インタフェースをさらに含み、前記通信インタフェースは、それぞれの目的の蛍光色素の入力を可能にし、
前記制御装置は、前記フィルタキャリア及び前記励起放射線源及び前記較正装置の前記動作状態の少なくとも１つを、前記通信インタフェースを介して示されるそれぞれの蛍光色素に反応して、予め定義された依存度にしたがって制御する、請求項１又は４に記載の顕微鏡システム。
【請求項２０】
前記観察系は、少なくとも１つの第２のカメラと、前記第２のカメラの前に配置されたフィルタとを含み、前記第２の観察光路によって導かれる観察放射線は、前記フィルタを介して前記第２のカメラに供給が可能であり、前記フィルタは、近赤外放射線に対して実質的に透明な赤外線フィルタ、又は８００ｎｍ〜９００ｎｍの波長に対して透過域（transmission range）を有する帯域通過フィルタである、請求項１又は４に記載の顕微鏡システム。
【国際調査報告】
2009525495.tif 000010
2009525495.tif 000011
2009525495.tif 000012
2009525495.tif 000013
2009525495.tif 000014
2009525495.tif 000015